(57)【特許請求の範囲】
【請求項１】
光ケーブルの中継部または分岐部周囲を覆うクロージャの周方向溝内に配置され、先端部を前記クロージャに取り付けたバックルの取付部である金属ループの下方に潜らせて前記バックルに当接させるベースと、
このベースに一端が取り付けられ、前記クロージャの周面に巻回される締付ベルトと、
前記ベースに回転自在に取り付けられ、前記締付ベルトの他端側を挿通可能な巻取軸と、この巻取軸への前記締め付けベルトの巻取り時に前記巻取軸を回転させ、前記巻取軸に巻かれた前記締め付けベルトの引き出し時に前記巻取軸と相対回転する操作ハンドルを備え、前記巻取軸を回転させて前記締付ベルトを巻き取って前記クロージャを締め付けるラチェット機構と、
を有することを特徴とする光ケーブル用クロージャの仮締め装置。
【請求項２】
前記ベースは、前記クロージャの周面に沿って屈曲可能に形成してあることを特徴とする請求項１に記載の光ケーブル用クロージャの仮締め装置。
【発明の詳細な説明】
【０００１】
【発明の属する技術分野】
本発明は、光ケーブルの中継部や分岐部の周囲を密封して覆うクロージャの上下のスリーブを連結するのに好適な光ケーブル用クロージャの仮締め装置に関する。
【０００２】
【従来の技術】
光ケーブルは、中継部や分岐部において細い心線を露出させるため、ケーブル心線の保護等を図る必要がある。このため、光ケーブルの中継部や分岐部においては、周囲を円筒状のクロージャによって覆って密封するようにしている。図５は、そのようなクロージャの一例を示す分解斜視図である。
【０００３】
図５において、クロージャ１０は、図示しない光ケーブルの端部を固定する取付金具１２と、この取付金具１２を収納する反割り構造の上側スリーブ１４と下側スリーブ１６とを有しており、上下のスリーブ１４、１６を合わせて一体化することにより、中継部や分岐部を保護できるようになっている。そして、各スリーブ１４、１６の端部には、蓋体となる端面板１８を挿入するための溝２０が形成してある。また、端面板１８は、複数のケーブル孔２２が設けてあって、ケーブル孔２２を閉塞しているゴムシール２４を除去することにより、光ケーブルをケーブル孔２２を貫通させて配置できるようになっている。さらに、端面板１８には、ケーブル孔２２から端面板１８側面に達する切込み２５が設けてあって、ケーブルの周面に装着したアダプタをケーブル孔２２に容易に配置できるようにしてある。
【０００４】
また、上下のスリーブ１４、１６は、他方のスリーブとの合せ面となる両側部に、両スリーブ１４、１６の合せ面をシールする棒状のガスケット２６を配置するガスケット溝２８が設けてある。そして、下側スリーブ１６の一側外周面には、上側スリーブ１４に設けた図示しない掛止部と掛合させるヒンジ３０がスリーブ１６の長手方向に沿って複数（例えば７つ）設けてある。また、上側スリーブ１４の他側（ヒンジ３０と反対側）には、ヒンジ３０と対応位置にバックル３２ａ〜３２ｇが設けてある。さらに、下側スリーブ１６には、バックル３２ａ〜３２ｇに対応して掛止部３４が形成してあって、ヒンジ３０を上側スリーブ１４の掛止部に掛合させたのち、下側スリーブ１６の掛止部３４にバックル３２ａ〜３２ｂの掛止片３６を掛合させることにより、バックル３２を締結させて上下のスリーブ１４、１６を一体化できるようになっている。なお、各スリーブ１４、１６の両側部外周面には、ヒンジ３０およびバックル３２並びに掛止部と対応した位置に、周方向に延在するリブ３８によって形成した溝４０が設けてあり、この溝４０にヒンジ３０やバックル３２を挿入できるようになっている。
【０００５】
上記のように構成してあるクロージャ１０は、図示しない光ケーブルの先端部を取付金具１２の固定部に固定したのち、端面板１８を取付金具１２の両端に固定する。その後、光ケーブルの所定位置にアダプタを取り付け、切込み２５を開いてアダプタ部分を端面板１８のケーブル孔２２に配置する。さらに、切込み２５にシール材を挟み込むとともに、端面板１２の周面にシール材を配置して端面板１８を下側スリーブ１６に形成した溝２０に配置する。次に、上下のスリーブ１４、１６に設けたガスケット溝２８にガスケット２６を圧入し、下側スリーブ１６のヒンジ３０を上側スリーブ１４の掛止部に掛合させる。
【０００６】
その後、上側スリーブ１４に設けたバックル３２の、掛止片３６が取り付けられていない中央のバックル３２ｄの金属ループ部３５に上方からドライバ等の工具の先端部を差込み、この工具の先端を下側スリーブ１６に設けた掛止部３４に係合させ、工具を梃子のように使用して上側スリーブ１４を下側スリーブ１６側に引き寄せる。そして、バックル３２ｄの両隣のバックル３２ｃ、３２ｅを締めた後、各バックル３２を中央側から外側に左右交互に締めていく。両端のバックル３２ａ、３２ｇの締結が終了したならば、中央のバックル３２ｄの金属ループ部３５に掛止片３６を取り付けて下側スリーブ１６の掛止部３４と掛合させてバックル３２ｄを締結し、クロージャ１０の締付作業を終了する。
【０００７】
【発明が解決しようとする課題】
このように、クロージャ１０は、内部に塵埃や水等が侵入するのを防止するために多くのシール材を使用して気密性を高めている。このため、ヒンジ３０を掛合させた状態においては、上下のスリーブ１４、１６のバックル３２側の間隔が大きく開いており、上側スリーブ１４を下側スリーブ１６側に寄せてバックル３２を締結するのに大きな力を必要とする。このため、従来は、バックル３２ａ〜３２ｇを締結する場合、工具の先端部を中央のバックル３２ｄの金属ループ部３５に差込んで上側スリーブ１４を下側スリーブ１６側に引き寄せており、作業が面倒であるばかりでなく、相当の力を必要とする。特に、ケーブルが多条分岐している場合、上側スリーブ１４を２〜３人で押えないと工具を下側スリーブ１６に引っ掛けることができない。しかも、工具の先端を下側スリーブ１６の掛合部３４に当てて上側スリーブ１４を引き寄せるため、スリーブを傷めたり、工具が外れて思わぬ怪我をするおそれもある。また、ケーブルが輻湊した狭いマンホールにおいては、入坑できる作業員の数が限られており、上下のスリーブ１４、１６の結合に多大な労力と時間を費やしていた。このため、バックル３２を容易に締結することができるような装置の開発が望まれていた。
【０００８】
本発明は、上記の要請に鑑みてなされたもので、クロージャのバックルを容易に締結できるようにすることを目的としている。
【０００９】
【課題を解決するための手段】
上記の目的を達成するために、本発明に係る光ケーブル用クロージャの仮締め装置は、光ケーブルの中継部または分岐部周囲を覆うクロージャの周方向溝内に配置され、先端部を前記クロージャに取り付けたバックルの取付部である金属ループの下方に潜らせて前記バックルに当接させるベースと、このベースに一端が取り付けられ、前記クロージャの周面に巻回される締付ベルトと、前記ベースに回転自在に取り付けられ、前記締付ベルトの他端側を挿通可能な巻取軸と、この巻取軸への前記締め付けベルトの巻取り時に前記巻取軸を回転させ、前記巻取軸に巻かれた前記締め付けベルトの引き出し時に前記巻取軸と相対回転する操作ハンドルを備え、前記巻取軸を回転させて前記締付ベルトを巻き取って前記クロージャを締め付けるラチェット機構と、を有する構成となっている。ベースは、クロージャの周面に沿って屈曲可能に形成することができる。屈曲できるところ（関節）は、複数設けてよい。また、ベースは、クロージャの周面に形成してある溝に嵌入できる幅にしてあるため、その溝に嵌入させてクロージャから容易に脱落、落下するのを防止することができる。
【００１０】
【作用】
上記のごとく構成した本発明は、ラチェットを操作すると、クロージャの周面に巻き回した締付ベルトが次第に巻取軸に巻き取られ、徐々にクロージャを締め付け、上下のスリーブを相互に接近させる。従って、一人の作業者によってクロージャの締め付け、バックルの締結を容易にすることができる。そして、ベースをクロージャの周面に沿って屈曲可能にすると、ベースをクロージャの周面に倣うように屈曲させることにより、種々の太さのクロージャに対応できるばかりでなく、締付ベルトの取付部をベースの後端部に設けたとしても、クロージャの周面近くに配置することができ、締付ベルトによるクロージャの締め付けの際に、ベースに大きな曲げ応力が作用するのを防止することができる。
【００１１】
【発明の実施の形態】
本発明に係る光ケーブル用クロージャの仮締め装置の好ましい実施の形態を、添付図面に従って詳細に説明する。
図１は本発明の実施の形態に係る光ケーブル用クロージャの仮締め装置の側面図、図２はその正面図、図３は図２のＡ−Ａ線に沿った断面図である。これらの図において、仮締め装置５０は、前記したクロージャ１０のスリーブ周面に配置するベース５２を備えている。ベース５２は、図５に示した溝４０に嵌入できる幅を有していて、例えばアルミニウム板から形成してあって、主ベース５４と副ベース５６とから構成してある。また、ベース５２は、副ベース５６がピン５８を介して主ベース５４の後部に枢着してあり、矢印６０のように主ベース５４に対して揺動自在となっていて、クロージャ１０の周方向に配置されたときに、周面に沿って屈曲できるようになっている。さらに、副ベース５６の後部には、図３に示したように凹部６１が設けてあって、この凹部６１を横断してベルトピン６２が取り付けてある。このベルトピン６２は、締付ベルト６４の一端部に形成したループ部６６を貫通していて、締付ベルト６４を保持するようになっている。
【００１２】
一方、主ベース５４は、先端側の上部に溝部６８が形成してあり、詳細を後述するように、締付ベルト６４を巻取軸７０に巻き取ったときに、締付ベルト６４がベース５２と干渉しないようにしてある。また、主ベース５４の溝部６８先端側上部には傾斜部７２が形成してあって、主ベース５４をクロージャ周面に形成した溝４０に配置したときに、先端部が掛止部３４と同様に形成してあるバックル３２の取付部の下部に潜らせることができるようにしてある。さらに、溝部６８の底面先端部は、締付ベルト６４が接触しても損傷しないように面取りしてある。そして、主ベース５４の上面には、支持ブラケット７４がねじ７６によって固定してある。
【００１３】
支持ブラケット７４は、図２に示したように、ベース５２の幅方向の両側がベース５２の上面とほぼ直交した垂直部７８となっている。そして、各垂直部７８は、前端側が円板部８０、後端側が矩形板部８２となっていて、円板部８０に巻取軸７０を貫通させる軸孔８４が設けてある（図３参照）。また、支持ブラケット７４は、矩形板部８２の下部に、左右の垂直部７８、７８を連結している連結部８４が形成してあって、この連結部８４に設けたねじ孔を介してねじ７６によりベース５２に固定してある。さらに、矩形板部８２には、ガイド溝８６が設けてある。このガイド溝８６は、ラチェット機構８８を構成している爪車９０の逆転を防止する戻り止め９２を案内するもので、先端側が後端側より上方となるように傾斜して形成してあり、先端部が爪車９０の回転半径側方に位置している。また、支持ブラケット７４は、図３に示したように、円板部８０の上部側に爪車９０の内側を露出させ、爪車９０を回転させる送り爪９４を爪車９０に係合させるとともに、送り爪９４の前方への移動を規制するストッパ部となる小円部９５が形成してある。
【００１４】
爪車９０は、図２に明示したように、両垂直部７８の外側に配置してあって、噛み合っている送り爪９４によって回転させられ、貫通している巻取軸７０を回転させて締付バンド６４を巻取軸７０に巻き取るようになっている。すなわち、巻取軸７０は、反割り構造の半円形をなす一対の軸部材９６、９６からなっていて、これらの軸部材９６が締付ベルト６４の他端部を貫通させることができる挿通間隙９８をもって配置され、それらの両端部がピン１００によって相互に連結され、抜け止めが図られている。そして、爪車９０に形成した軸孔は、挿通間隙９８を形成するために、軸孔を横断する仕切り部１０２が中心部に設けてあって、軸部材９６の形状に対応した一対の半円孔から構成してある。
【００１５】
送り爪９４は、巻取軸７０に締付ベルト６４を巻回すことができるように、先端部に切り欠き凹部が設けられた平面視略刺股状をなしている。そして、送り爪９４は、両側部が送り爪９４を回転させる操作ハンドル１０４に設けたガイド溝１０５に挿入してあって、ガイド溝１０５に沿って進退できるようになっている。また、送り爪９４は、操作ハンドル１０４の内側に位置する後端側の両側部が上方に起こされた引掛け部１０６となっていて、この引掛け部１０６に指を掛けて後方側（図１の右側）に引くことにより、爪車９０との係合を解除できるようになっている。さらに、送り爪９４は、両引掛け部１０６の間に突起１０８が設けてあって、この突起１０８の後端部が操作ハンドル１０４の中央部を下方に折曲して形成したばね受部１１０に設けた孔１１２に挿入され（図３参照）、支持されている。そして、送り爪９４は、突起１０８の周囲に圧縮ばね１１４が装着してあって、この圧縮ばね１１４によって前方、すなわち爪車９０側に付勢され、先端が支持ブラケット７４の小円部９５に当接している。
【００１６】
また、支持ブラケット７４は、円板部８０の小円部９５先端側にストッパ段部１１６が形成してあって、操作ハンドル１０４によって回転させられる送り爪９４の回転を規制できるようになっている。さらに、円板部８０には、ストッパ段部１１６の先端側に切り欠き凹部１１８が設けてあって、詳細を後述するように、この切り欠き凹部１１８に送り爪９４の先端部を嵌入させることにより、爪車９０を空転させることができるようにしている。
【００１７】
操作ハンドル１０４は、先端側に軸孔１２０が設けてあって、この軸孔１２０を巻取軸７０が貫通していおり、矢印１２１のように巻取軸７０を中心に揺動させることにより、送り爪９４を回動させて爪車９０を図１の反時計方向に回転できるようになっている。また、操作ハンドル１０４は、軸孔１２０の下方に小円部１２２が形成してあって、爪車９０の外側面を露出させて戻り止め９２を爪車９０に掛合させるとともに、戻り止め９２の前方への移動を規制している。さらに、操作ハンドル１０４は、小円部１２２の先端側にカム部１２４が設けてあって、送り爪９４を切り欠き凹部１１８に嵌入させたときに、カム部１２４が戻り止め９２をガイド溝８６に沿って後退させ、爪車９０と戻り止め９２との係合を解除して爪車９０を空転させることができるようになっている。
【００１８】
戻り止め９２は、先端側中央部が切り欠かれた凹部となっていて、巻取軸７０に巻かれた締付ベルト６４と干渉しないようにしてある。そして、戻り止め９２は、図１に示したように、先端係合部１２６が支持ブラケット７４の側方に突出していて、爪車９０に係合するとともに、操作ハンドル１０４に設けた凹部に嵌入し、操作ハンドル１０４の時計方向への回動を規制している。さらに、戻り止め９２は、図３に示したように、後端側の中央部に突起１２８が設けてあって、この突起１２８の後端部が支持ブラケット７４の連結部８４に形成したばね受部１３０に形成した孔に挿入され、支持されている。そして、戻り止め９２は、突起１２８の周囲に圧縮ばね１３２が配置してあって、圧縮ばね１３２によって爪車９０側に付勢されている。
【００１９】
図４は、実施の形態に掛かる仮締め装置５０の使用状態を模式的に示したものである。図４において、マンホール１４０の壁面には、ケーブル受け金物１４２が設置してあり、ケーブル受け金物１４２によって既設ケーブル１４４（１４４ａ〜１４４ｄ）を支持している。そして、図５に示したクロージャ１０は、下側スリーブ１６がクロージャ受け金物１４６を介してケーブル受け金物１４２に固定してある。また、上側スリーブ１４は、ヒンジ３０を掛けられた状態で下側スリーブ１６上に配置される。
【００２０】
仮締め装置５０は、ベース５２の主ベース５４が中央のバックル３２ｄの取付部後方に形成された溝４０に挿入し、主ベース５４の先端をバックルの金属ループ部の下方に潜った状態で、バックルに当接させる。そして、ベース５２は、主ベース５４と副ベース５６とをピン５８の部分において折曲し、副ベース５６の締付ベルト６４を取り付けたベルトピン６２を上側スリーブ１４の周面に近接させる。次に、締付ベルト６４の先端側をクロージャ１０の下側を通すとともに、バックル３２ｄのループ金具３５を通し、さらに巻取軸７０の挿通間隙９８を貫通させる。そして、操作ハンドル１０４を図１の矢印１２１のように揺動させると、操作ハンドル１０４が図４の時計方向に回動した際に、送り爪９４が爪車９０を図４の時計方向に回動させて締付ベルト６４を巻取軸７０に巻き取る。これにより、締付ベルト６４が上下のスリーブ１４、１６を締め付けて両者のバックル側を相互に接近させるため、バックル３２の締結が可能となる。そこで、従来と同様に、中央側から外側に、締付ベルト６４の両側のバックル３２を交互に締結する。
【００２１】
両端のバックル３２ａ、３２ｇの締結が終了したならば、送り爪９４の引掛け部１０６を介して爪車９０と送り爪９４との係合を解除し、操作ハンドル１０４を図４の時計方向に回動させて送り爪９４を切り欠き凹部１１８に嵌入させる。これにより、操作ハンドル１０４に形成したカム部１２４が戻り止め９２を後退させ、戻り止め９２と爪車９０との係合が解除される。そこで、締付ベルト９４を引くと爪車９０が巻取方向と逆方向に空転し、巻取軸７０に巻かれている締付ベルト６４を引き出すことができる。そして、仮締め装置５０をクロージャ１０から取り外したのち、中央のバックル３２ｄを締結する。
【００２２】
このように、実施の形態においては、操作ハンドル１０４を揺動操作することにより、ラチェット機構８８が作動して締付ベルト６４を巻取軸７０に巻き取り、上下のスリーブ１４、１６の締め付けを容易にでき、バックル３２の締結を簡単に行うことができる。従って、マンホールのような狭い作業場所であっても、一人の作業者で簡単にスリーブ１４、１６の締め付け、連結を容易に行うことができる。また、締付ベルト６４をバックル３２のループ金具３５に通すため、従来の工具を用いる場合のようにバックル掛止片３６を取り外しておく必要がなく、作業の簡素化が図れる。そして、主ベース５４が上側スリーブ１４の溝４０に収まるようになっているため、仮締め装置５０が容易に脱落することがない。しかも、締付ベルト６４を使用しているため、各種サイズのクロージャに適用することができる。さらに、ラチェット機構８８によって締め付けるようにしているため、スリーブ１４、１６の締付状態を確認しながら締め付けを行うことができ、締め過ぎてスリーブ１４、１６が破損する等の事故を防ぐことができる。そして、実施の形態においては、ベース５２を屈曲できるように形成したことにより、ベース５２をクロージャ１０の周面に倣うように屈曲させることにより、種々の太さのクロージャに対応できるばかりでなく、締付ベルト６４の取付部をクロージャの周面近くに配置でき、ベース５２に大きな曲げモーメントが作用するのを防止することができる。
【００２３】
【発明の効果】
以上に説明したように、本発明によれば、ラチェットを操作すると、クロージャの周面に巻き回した締付ベルトが次第に巻取軸に巻き取られ、上下のスリーブを相互に接近させるため、一人の作業者によってクロージャの締め付け、バックルの締結を容易にすることができる。そして、ベースをクロージャの周面に沿って屈曲可能にしたことにより、ベースをクロージャの周面に倣うように屈曲させることにより、種々の太さのクロージャに対応できるばかりでなく、締付ベルトの取付部をベースの後端部に設けたとしても、クロージャの周面近くに配置することができ、締付ベルトによるクロージャの締め付けの際に、ベースに大きな曲げ応力が作用するのを防止することができる。
【図面の簡単な説明】
【図１】本発明の実施の形態に係る仮締め装置の側面図である。
【図２】実施の形態に係る仮締め装置の正面図である。
【図３】図２のＡ−Ａ線に沿った断面図である。
【図４】実施の形態に係る仮締め装置の使用状態を示す模式図である。
【図５】光ケーブル用クロージャの分解斜視図である。
【符号の説明】
１０          クロージャ
１４          上側スリーブ
１６          下側スリーブ
５０          仮締め装置
５２          ベース
６４          締付ベルト
７０          巻取軸
７４          支持ブラケット
８８          ラチェット機構
９０          爪車
９２          戻り止め
９４          送り爪
１０４        操作ハンドル
１０６        引掛け部
１１０        圧縮ばね
１１６        ストッパ部
１１８        切り欠き凹部
１２４        カム部
１３２        圧縮ばね
【図１】
0003826369.tif 000002
【図２】
0003826369.tif 000003
【図３】
0003826369.tif 000004
【図４】
0003826369.tif 000005
【図５】
0003826369.tif 000006